(57)【要約】【課題】床鳴りの発生を大幅に抑制ないしはなくすことができる床構造を提供する。【解決手段】構造用合板からなる床板４と大引２との間に、大引２の延びる方向に向けられた根太３が介設されると共に、床板４と根太３との間に乾式粘着テープ６が介設されて両者が滑り阻止状態に接合され、かつ、床板４の下面側から前記根太３を除く他の根太が省略されている。また、床板４の下面側に発泡樹脂断熱材５が備えられ、該断熱材５と床板４とがそれらの対向面部において無接合状態である。【選択図】      図１
2006283384.tif 000002
【特許請求の範囲】
【請求項１】
構造用合板からなる床板と大引との間に、大引の延びる方向に向けられた根太が介設されると共に、床板と前記根太との間に乾式粘着テープが介設されて両者が滑り阻止状態に接合され、かつ、構造用合板の下面側から前記根太を除く他の根太が省略されていることを特徴とする床構造。
【請求項２】
床板の下面側に発泡樹脂断熱材が備えられ、該断熱材と床板とがそれらの対向面部において無接合状態である請求項１に記載の床構造。
【請求項３】
前記根太が、その幅方向において、隣り合う一方の床板の根太ともう一方の床板の根太とを兼ねた一体物からなる請求項１又は２に記載の床構造。
【請求項４】
前記根太が複数枚の床板にわたすように通しで備えられている請求項１乃至３のいずれか一に記載の床構造。
【発明の詳細な説明】
【技術分野】
【０００１】
本発明は、床鳴りのしない床構造に関する。
【背景技術】
【０００２】
床構造として、従来より、大引、根太、床板、発泡樹脂断熱材等を備えた様々なものが提供されているが、床鳴りの発生を完璧になくしたものは、未だ提供されていない。
【発明の開示】
【発明が解決しようとする課題】
【０００３】
本発明は、上記のような背景において、床鳴りの発生を大幅に抑制ないしはなくすことができる床構造を提供することを課題とする。
【課題を解決するための手段】
【０００４】
上記の課題は、構造用合板からなる床板と大引との間に、大引の延びる方向に向けられた根太が介設されると共に、床板と前記根太との間に乾式粘着テープが介設されて両者が滑り阻止状態に接合され、かつ、構造用合板の下面側から前記根太を除く他の根太が省略されていることを特徴とする床構造によって解決される。
【０００５】
この床構造では、根太が大引の延びる方向に向けられて床板と大引との間に介設されているので、大引と根太との間に隙間を生じることがなく、それにより、床鳴りの原因の一つを排除することができる。
【０００６】
また、床板と根太との間に乾式粘着テープが介設されて両者が滑り阻止状態に接合されているので、床板と根太との擦れによる床鳴りの発生を防ぐことができ、しかも、乾式粘着テープによる接合であるから、水を発生する接着剤を使用する場合のように床板に反りを生じさせてしまうこともない。
【０００７】
更に、床板の下面側から上記の根太を除く他の根太が省略されているので、床板と根太との擦れによる床鳴りの原因箇所が排除されると共に、床板と根太との乾式粘着テープによる接合面積も少なくすることができて、製作、施工を容易にすることができ、その一方で、床材として構造用合板を用いているので、根太の省略によって床の強度に不足を生じてしまうこともない。
【０００８】
上記の床構造において、床板の下面側に発泡樹脂断熱材が備えられ、該断熱材と床板とがそれらの対向面部において無接合状態である場合は、床板と発泡樹脂断熱材とが接合された状態での擦れによる床鳴りの発生を防ぐことができ、また、水を発生する接着剤を使用する場合のように床板に反りを生じさせてしまうこともない。なお、断熱材と床板は非接触であるのが好ましい。
【０００９】
また、上記の床構造において、前記根太が、その幅方向において、隣り合う一方の床板の根太ともう一方の床板の根太とを兼ねた一体物からなる場合は、根太の側面部同士の擦れによる床鳴りの発生をなくすことができる。
【００１０】
更に、上記の床構造において、前記根太が複数枚の床板にわたすように通しで備えられている場合も、根太の端面部同士の擦れによる床鳴りの発生をなくす、ないしは、抑制することができる。
【発明の効果】
【００１１】
本発明は、以上のとおりのものであるから、床鳴りの発生を大幅に抑制ないしはなくすことができる。
【発明を実施するための最良の形態】
【００１２】
次に、本発明の実施最良形態を図面に基づいて説明する。
【００１３】
図１及び図２に示す実施形態の床構造において、１は鋼製束、２は鋼製大引、３は木根太、４は床板、５はスチレンフォームなどからなる発泡樹脂断熱材であり、床板４は、厚さ寸法が例えば２８ｍｍあるは３２ｍｍ、平面サイズが例えば９１０×１８２０ｍｍの厚肉合板からなっている。そして、大引２の上面部には、長さ寸法が、例えば床板４の短辺寸法の２倍の１８２０ｍｍの通し根太３が、大引２の延びる方向に向けられて設置されている。なお、根太と大引との間にフェルト等の緩衝材が設けられているとよい。
【００１４】
そして、該根太３には、その上面部と両側面部とにわたすように、両面に粘着層を有する乾式粘着テープ６が全長にわたって粘着され、該乾式粘着テープ６を介して、根太３の幅方向の一方半部の上に、床板４の長辺方向の端部が設置されて床板４と根太３とが乾式粘着テープ６によって滑り阻止状態に接合されるとともに、床板４と大引２とが、根太３と乾式粘着テープ６を介して、ビス８で接合され、かつ、床板４の下面側から上記の根太３を除く他の根太は省略されている。
【００１５】
そして、根太３の幅方向の一方半部の上には、隣り合うもう一方の床板の下面部が載せられ、根太３は、隣り合う床板４の根太として兼用して用いられている。また、根太３は、上記のように、床板４の短辺方向の長さ寸法よりも長く設定されていて、１本の根太３に、その長さ方向において複数枚、本実施形態では２枚の床板４が設置されるようになされて、根太３が通し根太となっている。
【００１６】
また、床板４の下面側には、根太３，３間の高さ領域部分において、発泡樹脂断熱材５が設置され、該発泡樹脂断熱材５は、床板４にビニールテープ７などで吊下げ状態に保持されて落下を阻止されており、発泡樹脂断熱材５と床板４とは、それらの対向面部において、断熱材５に釘やビスが直接通っているとか、水を発生する接着剤で接合されているとかがなされていない、無接合状態にされている。なお、発泡樹脂断熱材５の側面部は、根太３の側面部に粘着されている乾式粘着テープ６に粘着されていてよい。
【００１７】
施工は、例えば、まず、工場などにおいて、図３（イ）（ロ）に示すように、作業台などに設置した床板４の上に発泡樹脂断熱材５をセットし、図３（ハ）に示すように、ビニールテープ７を巻いて発泡樹脂断熱材５を床板４に位置決め状態に止め付け、これを現場に搬送する。
【００１８】
なお、発泡樹脂断熱材５は床板４に対し、シュリンク梱包の方法などで止め付けられていてもよく、要は、それらの対向面部において無接合状態で組み合わされていればよい。また、ビニールテープ７やシュリンク梱包は発泡樹脂断熱材５が床下に落下してしまうのを防ぐためのものであり、発泡樹脂断熱材５の落下を防ぐことのできる方法が他の方法で採られるのであれば、工場などでのこの工程は省略されてよい。
【００１９】
そして、現場では、図４（ニ）（ホ）に示すように、鋼製大引２の上に根太３を設置すると共に、根太３に乾式粘着テープ６を貼り付け、しかる後、図５（ヘ）に示すように、発泡樹脂断熱材５付きの床板４を、発泡樹脂断熱材５を下にして根太３の上に設置して床板４と根太３とを乾式粘着テープ６で接着し、最後に、図５（ホ）に示すように、床板４と大引２とをビス８により例えば３００ｍｍピッチで接合する。
【００２０】
かかる床構造によれば、根太３が大引２の延びる方向に向けられて床板４と大引２との間に介設されているので、大引２と根太３との間に隙間を生じることがなく、それにより、それらの間の隙間に起因する床鳴りの発生を防ぐことができる。
【００２１】
また、床板４と根太３との間には乾式粘着テープ６が介設されて両者４，３が滑り阻止状態に接合されているので、床板４と根太３との擦れによる床鳴りの発生も防がれ、しかも、乾式粘着テープ６による接合であるから、水を発生する接着剤を使用する場合のように床板４に反りを生じさせてしまうこともない。
【００２２】
更に、床板４の下面側から上記の根太３を除く他の根太は省略されているので、床板４と根太との擦れによる床鳴りの原因箇所が排除されると共に、床板４と根太との乾式粘着テープによる接合面積も少なくすることができて、製作、施工を容易にすることができ、その一方で、床板４として厚肉の構造用合板を用いているので、根太の省略によって床の強度に不足を生じることもない。
【００２３】
また、床板４の下面側の発泡樹脂断熱材５は、床板４に対してそれらの対向面部において上記のように無接合状態にされているので、床板４と発泡樹脂断熱材５とがビス、釘等で接合された状態での擦れによる床鳴りの発生を防ぐことができ、また、水を発生する接着剤を使用する場合のように床板に反りを生じさせてしまうこともない。
【００２４】
更に、根太３が、その幅方向において、隣り合う一方の床板４の根太ともう一方の床板４の根太とを兼ねた一体物からなっているので、根太の側面部同士の擦れによる床鳴りの発生もないし、根太３が複数枚の床板４，４にわたすように通しで備えられているので、根太の端面部同士の擦れによる床鳴りの発生もなくなるか、抑制される。
【００２５】
以上に、本発明の実施形態を示したが、本発明はこれに限られるものではなく、発明思想を逸脱しない範囲で各種の変更が可能である。例えば、根太や、大引、乾式粘着テープ、発泡樹脂断熱材等の材質や形態、寸法等について制限はなく、本実施形態のものに替えて、種々のものが用いられてよい。
【図面の簡単な説明】
【００２６】
【図１】実施形態の床構造を示すもので、図（イ）は正面図、図（ロ）は要部拡大正面図である。
【図２】同分解斜視図である。
【図３】図（イ）〜図（ハ）は、図４及び図５とともに、施工方法の一例を示す正面図である。
【図４】図（ニ）及び図（ホ）は、図３及び図５とともに、施工方法の一例を示す正面図である。
【図５】図（ヘ）及び図（ト）は、図３及び図４とともに、施工方法の一例を示す正面図である。
【符号の説明】
【００２７】
２…大引
３…根太
４…床板
５…発泡樹脂断熱材
６…乾式粘着テープ
【図１】
2006283384.tif 000003
【図２】
2006283384.tif 000004
【図３】
2006283384.tif 000005
【図４】
2006283384.tif 000006
【図５】
2006283384.tif 000007